(57)【要約】【課題】汎用性が高く、かつ高精度で快適度を導出することができる屋外快適度導出装置、屋外利用促進装置およびプログラムを得る。【解決手段】屋外利用促進装置２０により、快適度の導出対象とする屋外７０の環境状態、および人による当該屋外の利用の度合いを示す利用状況を検出し、検出した環境状態を示す環境状態情報および利用状況を示す利用状況情報を関連付けて記憶し、記憶した環境状態情報および利用状況情報に基づいて、利用状況情報により示される利用の度合いが高い環境状態ほど度合いが高くなるように屋外７０の快適度を導出する。【選択図】図１
2014098581.tif 000002
【特許請求の範囲】
【請求項１】
快適度の導出対象とする屋外の環境状態、および人による当該屋外の利用の度合いを示す利用状況を検出する検出手段と、
前記検出手段によって検出された前記環境状態を示す環境状態情報および前記利用状況を示す利用状況情報を関連付けて記憶する記憶手段と、
前記記憶手段によって記憶された前記環境状態情報および前記利用状況情報に基づいて、前記利用状況情報により示される利用の度合いが高い前記環境状態ほど度合いが高くなるように前記屋外の快適度を導出する導出手段と、
を備えた屋外快適度導出装置。
【請求項２】
前記導出手段は、前記記憶手段に前記環境状態情報および前記利用状況情報が複数記憶されている場合、前記環境状態情報により示される環境状態を複数の階級に区分し、区分した各階級別に当該階級に属する前記利用状況情報により示される利用の度合いを合算し、これによって得られた合算値が大きい階級に対応する前記環境状態ほど度合いが高くなるように前記快適度を導出する
請求項１記載の屋外快適度導出装置。
【請求項３】
前記利用状況情報は、予め定められた期間内における人の利用期間、利用人数、延利用時間の少なくとも１つを示す情報である
請求項１または請求項２記載の屋外快適度導出装置。
【請求項４】
前記環境状態情報は、温度、湿度、風速、およびグローブ温度の少なくとも１つに基づく情報である
請求項１から請求項３の何れか１項記載の屋外快適度導出装置。
【請求項５】
請求項１から請求項４の何れか１項記載の屋外快適度導出装置と、
前記屋外快適度導出装置によって導出された快適度を示す情報を表示する表示手段と、
を備えた屋外利用促進装置。
【請求項６】
前記快適度が予め定められた閾値以下であった場合、当該快適度を上げるための処理を実行する処理実行手段
をさらに備えた請求項５記載の屋外利用促進装置。
【請求項７】
コンピュータを、
快適度の導出対象とする屋外の環境状態、および人による当該屋外の利用の度合いを示す利用状況を検出する検出手段と、
前記検出手段によって検出された前記環境状態を示す環境状態情報および前記利用状況を示す利用状況情報を関連付けて記憶する記憶手段と、
前記記憶手段によって記憶された前記環境状態情報および前記利用状況情報に基づいて、前記利用状況情報により示される利用の度合いが高い前記環境状態ほど度合いが高くなるように前記屋外の快適度を導出する導出手段と、
として機能させるためのプログラム。
【発明の詳細な説明】
【技術分野】
【０００１】
本発明は、屋外快適度導出装置、屋外利用促進装置およびプログラムに係り、より詳しくは、屋外の快適の度合いを示す快適度を導出する屋外快適度導出装置、屋外利用促進装置およびプログラムに関する。
【背景技術】
【０００２】
近年のエコロジーに対する意識の向上に伴い、屋外空間をオフィスとして利用することで、屋内の照明や空気調和（所謂空調）制御などに対する省エネルギー化を図る屋内外の運用が提案されている。また、このような屋外オフィスの利用が、気分転換や知的活性度の上昇を招くことなどによりクリエイティビティの向上に寄与する可能性が報告されている。
【０００３】
しかしながら、一方で、本発明の発明者らの検討により、屋外にオフィスの設備を設置するだけでは、屋外オフィスの活発な利用は望めないことが分かってきた。そこで、屋外オフィスの利用を誘発するために、屋内の人に対して屋外における温度、湿度、風速等の環境状態や、人が快適と感じる度合いを示す快適度を提示する技術が考えられる。
【０００４】
この技術において提示する快適度を得るために適用することのできる従来の技術として、特許文献１には、温度、湿度の他に清浄度、臭い、音圧、気圧等の少なくとも１つを含む環境要素を測定する計測手段と、上記環境要素の測定結果が入力され、その環境の快適の程度を出力するように予め学習され、上記各測定結果が入力され、快適の程度を段階的に出力するニューラルネットワークとを具備する快適度測定装置が開示されている。
【０００５】
また、上記快適度を得るために適用することのできる従来の技術として、非特許文献１には、屋外での快適感と快適性評価指標との相関を求めた技術が開示されている。
【先行技術文献】
【特許文献】
【０００６】
【特許文献１】特開平７−２５３４７７号公報
【非特許文献】
【０００７】
【非特許文献１】石井昭夫他，「屋外気候環境における快適感に関する実験的研究」，日本建築学会計画系論文報告集第３８６号昭和６３年４月
【発明の概要】
【発明が解決しようとする課題】
【０００８】
しかしながら、上記特許文献１に開示されている技術では、対象とする領域の環境要素と人の体調を示す血圧や体温をセンシングし、この結果に基づいて快適度を算出しており、算出した快適度が、必ずしも高精度で実際に人が快適と感じる度合いを示すとは限らない、という問題点があった。
【０００９】
また、上記非特許文献１に開示されている技術では、アンケートによって快適感と快適性評価指数との相関を求めているため、他の屋外空間に対する適用が困難であり、汎用性が乏しい、という問題点があった。
【００１０】
本発明は上記問題点を解決するためになされたものであり、汎用性が高く、かつ高精度で快適度を導出することができる屋外快適度導出装置、屋外利用促進装置およびプログラムを提供することを目的とする。
【課題を解決するための手段】
【００１１】
上記目的を達成するために、本発明の屋外快適度導出装置は、快適度の導出対象とする屋外の環境状態、および人による当該屋外の利用の度合いを示す利用状況を検出する検出手段と、前記検出手段によって検出された前記環境状態を示す環境状態情報および前記利用状況を示す利用状況情報を関連付けて記憶する記憶手段と、前記記憶手段によって記憶された前記環境状態情報および前記利用状況情報に基づいて、前記利用状況情報により示される利用の度合いが高い前記環境状態ほど度合いが高くなるように前記屋外の快適度を導出する導出手段と、を備えている。
【００１２】
本発明の屋外快適度導出装置によれば、快適度の導出対象とする屋外の環境状態、および人による当該屋外の利用の度合いを示す利用状況が検出手段によって検出され、記憶手段により、前記検出手段によって検出された前記環境状態を示す環境状態情報および前記利用状況を示す利用状況情報が関連付けられて記憶される。
【００１３】
ここで、本発明では、導出手段により、前記記憶手段によって記憶された前記環境状態情報および前記利用状況情報に基づいて、前記利用状況情報により示される利用の度合いが高い前記環境状態ほど度合いが高くなるように前記屋外の快適度が導出される。
【００１４】
すなわち、本発明では、屋外の快適度が高くなるほど、人による当該屋外の実際の利用の度合い（利用頻度）が高くなる点に着目し、当該利用の度合いが高い前記環境状態ほど度合いが高くなるように屋外の快適度を導出している。これにより、実態に即した快適度を得ることができる結果、高精度で快適度を導出することができるようにしている。また、本発明では、快適度の導出対象とする領域における人による利用の度合いを用いているため、快適度の導出対象とする屋外を固定する必要がなく、汎用性が高い。
【００１５】
このように、本発明の屋外快適度導出装置によれば、人による利用の度合いが高い環境状態ほど度合いが高くなるように屋外の快適度を導出しているので、汎用性が高く、かつ高精度で快適度を導出することができる。
【００１６】
なお、本発明は、前記導出手段が、前記記憶手段に前記環境状態情報および前記利用状況情報が複数記憶されている場合、前記環境状態情報により示される環境状態を複数の階級に区分し、区分した各階級別に当該階級に属する前記利用状況情報により示される利用の度合いを合算し、これによって得られた合算値が大きい階級に対応する前記環境状態ほど度合いが高くなるように前記快適度を導出してもよい。これにより、環境状態の検出結果の誤差や、当該検出結果の環境の急激な変化に起因するぶれ等を吸収することができる結果、より高精度で快適度を導出することができる。
【００１７】
また、本発明は、前記利用状況情報が、予め定められた期間内における人の利用期間、利用人数、延利用時間の少なくとも１つを示す情報であってもよく、前記環境状態情報が、温度、湿度、風速、およびグローブ温度の少なくとも１つに基づく情報であってもよい。
【００１８】
一方、上記目的を達成するために、本発明の屋外利用促進装置は、請求項１から請求項４の何れか１項記載の屋外快適度導出装置と、前記屋外快適度導出装置によって導出された快適度を示す情報を表示する表示手段と、を備えている。
【００１９】
本発明の屋外利用促進装置によれば、本発明の屋外快適度導出装置によって屋外の快適度が導出され、表示手段により、前記屋外快適度導出装置によって導出された快適度を示す情報が表示される。なお、上記表示手段による表示には、ディスプレイ装置等による可視表示による表示の他、画像形成装置等による永久可視表示、音声発生装置等による可聴表示が含まれる。また、上記快適度を示す情報には、快適度そのものの他、快適度を間接的に示す図、記号、マーク等が含まれる。
【００２０】
このように、本発明の屋外利用促進装置によれば、本発明の屋外快適度導出装置を備えているので、当該装置と同様に、汎用性が高く、かつ高精度で快適度を導出することができる。
【００２１】
なお、本発明は、前記快適度が予め定められた閾値以下であった場合、当該快適度を上げるための処理を実行する処理実行手段をさらに備えてもよい。これにより、効果的に人を屋外に誘導することができる。
【００２２】
一方、上記目的を達成するために、本発明のプログラムは、コンピュータを、快適度の導出対象とする屋外の環境状態、および人による当該屋外の利用の度合いを示す利用状況を検出する検出手段と、前記検出手段によって検出された前記環境状態を示す環境状態情報および前記利用状況を示す利用状況情報を関連付けて記憶する記憶手段と、前記記憶手段によって記憶された前記環境状態情報および前記利用状況情報に基づいて、前記利用状況情報により示される利用の度合いが高い前記環境状態ほど度合いが高くなるように前記屋外の快適度を導出する導出手段と、として機能させるためのものである。
【００２３】
従って、本発明のプログラムによれば、コンピュータに対して本発明の屋外快適度導出装置と同様に作用させることができるので、当該屋外快適度導出装置と同様に、汎用性が高く、かつ高精度で快適度を導出することができる。
【発明の効果】
【００２４】
本発明によれば、人による利用の度合いが高い環境状態ほど度合いが高くなるように屋外の快適度を導出しているので、汎用性が高く、かつ高精度で快適度を導出することができる、という効果が得られる。
【図面の簡単な説明】
【００２５】
【図１】実施の形態に係る屋外利用促進システムの全体構成を示す平面図（一部ブロック図）である。
【図２】実施の形態に係る屋外利用促進装置の電気系の要部構成を示すブロック図である。
【図３】実施の形態に係る屋外利用促進装置に備えられた二次記憶部の主な記憶内容を示す模式図である。
【図４】実施の形態に係る検出記録データベースの構成を示す模式図である。
【図５】実施の形態に係る演算結果データベースの構成を示す模式図である。
【図６】実施の形態に係る屋外利用促進プログラムの処理の流れを示すフローチャートである。
【図７】実施の形態に係る快適度の導出手順の説明に供する情報一覧図である。
【図８】実施の形態に係る快適度の導出手順の説明に供するグラフである。
【図９】実施の形態に係る快適度提示画面の構成を示す正面図である。
【図１０】その他の実施の形態に係る屋外利用促進システムの全体構成を示す平面図（一部ブロック図）である。
【図１１】実施の形態に係る快適度提示画面の他の構成を示す正面図である。
【発明を実施するための形態】
【００２６】
以下、図面を参照して、本発明を実施するための形態について詳細に説明する。
【００２７】
まず、図１を参照して、本発明が適用された屋外利用促進システム１０の構成を説明する。
【００２８】
図１に示すように、本実施の形態に係る屋外利用促進システム１０は、屋内１２に設けられ、当該システム１０の中心的な役割を担う屋外利用促進装置２０と、当該システム１０において適用対象としている屋外７０に設けられた環境要素測定装置３０と、を有している。
【００２９】
本実施の形態に係る環境要素測定装置３０は、温度（気温）、湿度、風速、およびグローブ温度の各環境要素を測定することができるが、環境要素測定装置３０の測定対象はこれらに限らない。例えば、これらの環境要素に加えて、日射量、照度、紫外線量、表面温度、音量等の他の環境要素の何れか１つや複数の組み合わせを測定対象としてもよい。
【００３０】
また、屋内１２と屋外７０との境界付近の屋内１２には、環境要素測定装置３０と接続され、当該環境要素測定装置３０によって測定された環境要素を示す情報を屋外利用促進装置２０に無線通信により送信（転送）する送信装置３２が設けられている。なお、本実施の形態に係る環境要素測定装置３０は、予め定められた第１期間（本実施の形態では、１秒）毎に各環境要素を測定し、送信装置３２を介して屋外利用促進装置２０に送信するものとされているが、これに限らない。例えば、屋外利用促進装置２０から測定要求を示す情報を受信した場合に各環境要素を測定し、屋外利用促進装置２０に送信する形態としてもよい。
【００３１】
本実施の形態に係る屋外７０には、テーブルおよび椅子を有するテーブルセット７２が複数設けられると共に、屋内１２と屋外７０との境界付近に撮影装置３４およびミスト散布装置３６が設けられている。
【００３２】
本実施の形態に係る撮影装置３４は、カラーの動画撮影を行うことができる所謂ビデオカメラとして構成されており、屋外７０の全領域が画角内に収まるように、撮影倍率や設置位置等が調整されている。ただし、本システム１０で適用可能な撮影装置３４は、カラーの動画撮影ができるものには限らない。モノクロの動画撮影を行うことができるビデオカメラや、カラーまたはモノクロの静止画撮影のみを行うことのできる所謂デジタル電子スチルカメラ等の他の撮影装置を、本実施の形態に係る撮影装置３４として適用してもよい。
【００３３】
また、本実施の形態に係るミスト散布装置３６は、水を微細な霧の状態（以下、「ミスト」という。）にして噴射し、蒸発する際の気化熱を利用して主に地面の局所を冷却するものとして構成されている。ミスト散布装置３６は、屋外７０の略全域に対してミストを散布することができるように、その噴射力や設置位置等が調整されているが、必ずしも屋外７０の略全域に散布することができる必要はない。
【００３４】
また、本実施の形態に係る屋外７０には、屋内１２と屋外７０との境界付近の屋外７０に日除けスクリーン７４が設けられている。本実施の形態に係る日除けスクリーン７４は、スクリーン７４Ａが手動で収納部７４Ｂからの引き出しや、収納部７４Ｂへの収納ができるものとされているが、これに限らない。スクリーン７４Ａの引き出しや収納を自動で行うことのできるものを、本実施の形態に係る日除けスクリーン７４として適用してもよい。
【００３５】
一方、本実施の形態に係る屋外利用促進装置２０は、インターネット、ＬＡＮ（Local Area Network）等のネットワーク１４に接続されている。これに対し、本実施の形態に係るネットワーク１４には、屋内１２の予め定められた複数の箇所に設けられた端末装置２２が接続されている。従って、屋外利用促進装置２０は、ネットワーク１４を介して、これらの端末装置２２との間で各種情報を授受することができる。
【００３６】
次に、図２を参照して、本屋外利用促進システム１０において特に重要な役割を有する屋外利用促進装置２０の電気系の要部構成を説明する。
【００３７】
同図に示すように、本実施の形態に係る屋外利用促進装置２０は、システムバスＢＵＳに接続され、当該屋外利用促進装置２０全体の動作を司るＣＰＵ（Central Processing Unit）２０Ａが備えられている。
【００３８】
システムバスＢＵＳには、ＣＰＵ２０Ａによる各種プログラムの実行時のワークエリア等として用いられるＲＡＭ（Random Access Memory）２０Ｂおよび各種制御プログラムや各種パラメータ等が予め記憶されたＲＯＭ（Read Only Memory）２０Ｃが接続されている。また、システムバスＢＵＳには、各種情報を記憶するために用いられる記憶手段としての二次記憶部（ここでは、ハードディスク装置）２０Ｄと、各種情報を入力するために用いられるキーボード２０Ｅと、が接続されている。さらに、システムバスＢＵＳには、各種情報を表示するために用いられるディスプレイ２０Ｆと、外部装置との間での有線通信動作を制御するインタフェース２０Ｇと、送信装置３２との間での無線通信動作を制御する無線通信部２０Ｈと、が接続されている。
【００３９】
従って、ＣＰＵ２０Ａは、ＲＡＭ２０Ｂ、ＲＯＭ２０Ｃ、および二次記憶部２０Ｄに対するアクセス、キーボード２０Ｅを介した各種入力情報の取得、およびディスプレイ２０Ｆに対する各種情報の表示を各々行うことができる。また、ＣＰＵ２０Ａは、インタフェース２０Ｇを介した外部装置との間の各種情報の授受、および無線通信部２０Ｈを介した送信装置３２との間の各種情報の授受を各々行うことができる。なお、本実施の形態に係る屋外利用促進装置２０では、上記外部装置として、前述した撮影装置３４およびミスト散布装置３６を適用している。従って、ＣＰＵ２０Ａは、撮影装置３４による撮影によって得られた動画像の画像情報の取得、およびミスト散布装置３６によるミストの噴射の制御を各々行うことができる。
【００４０】
なお、本実施の形態に係る屋外利用促進装置２０には、その時点の日時（年／月／日および時刻）を計時する時計機能が備えられている。
【００４１】
一方、図３には、屋外利用促進装置２０に備えられた二次記憶部２０Ｄの主な記憶内容が模式的に示されている。
【００４２】
同図に示すように、二次記憶部２０Ｄには、各種データベースを記憶するためのデータベース領域ＤＢと、各種アプリケーション・プログラム等を記憶するためのプログラム領域ＰＧと、が設けられている。また、データベース領域ＤＢには、検出記録データベースＤＢ１、画像情報データベースＤＢ２、および演算結果データベースＤＢ３が含まれる。以下、各データベースの構成について詳細に説明する。
【００４３】
本実施の形態に係る検出記録データベースＤＢ１は、一例として図４に模式的に示すように、検出日時および検出結果の各情報が記憶されるように構成されている。
【００４４】
なお、上記検出日時は、環境要素測定装置３０により測定対象とされる環境要素が測定された日時を示す情報である。また、上記検出結果は、対応する検出日時に環境要素測定装置３０によって測定された環境要素（本実施の形態では、温度、湿度、風速、グローブ温度）の測定値を示す情報である。同図に示す例では、２０１２年１０月１日の１０時１分に測定された温度が１３．２度で、湿度が３２．０％で、風速が２０．２ｍ／ｓで、グローブ温度が１４．１度であることを示している。
【００４５】
なお、画像情報データベースＤＢ２に記憶される画像情報は、撮影装置３４によって得られた動画像を示す通常の情報であるため、ここでの図示は省略するが、本実施の形態に係る画像情報データベースＤＢ２では、この画像情報を時系列順に順次画像情報データベースＤＢ２に登録するようにしている。
【００４６】
一方、本実施の形態に係る演算結果データベースＤＢ３は、一例として図５に模式的に示すように、演算日時および演算結果の各情報が記憶されるように構成されている。
【００４７】
なお、上記演算日時は、対応する演算結果を演算した日時を示す情報である。また、上記演算結果は、上記環境要素に基づいて得られる、屋外７０の環境状態を示す環境状態情報である標準新有効温度ＳＥＴ＊（℃）、および上記画像情報に基づいて得られる、屋外７０の人による利用時間（利用人数に利用時間（分）を乗じた値）を示す延利用時間Ｎ（人×ｍｉｎ）、を各々示す情報である。同図に示す例では、２０１２年１０月１日の１０時１分に演算された標準新有効温度ＳＥＴ＊が３５．０５７８度で、延利用時間Ｎが１人×分であることを示している。
【００４８】
次に、本実施の形態に係る屋外利用促進システム１０の作用として、図６を参照して、屋外利用促進処理を実行する際の屋外利用促進装置２０の作用を説明する。なお、図６は、キーボード２０Ｅを介して実行する旨の指示入力が行われた際に屋外利用促進装置２０のＣＰＵ２０Ａによって実行される屋外利用促進プログラムの処理の流れを示すフローチャートであり、当該プログラムは二次記憶部２０Ｄのプログラム領域ＰＧに予め記憶されている。
【００４９】
同図のステップ１００では、撮影装置３４および環境要素測定装置３０の作動を開始させるように、これらの装置を制御する。これにより、撮影装置３４は撮影動作を開始する一方、環境要素測定装置３０は各環境要素（本実施の形態では、温度、湿度、風速、グローブ温度）の測定を開始する。
【００５０】
次のステップ１０２では、撮影装置３４から予め定められた第２期間（本実施の形態では、１秒）分の画像情報を受信し、次のステップ１０４にて、受信した画像情報を画像情報データベースＤＢ２に記憶する。次のステップ１０６では、予め定められた第３期間（本実施の形態では、１分）が経過したか否かを判定し、否定判定となった場合は上記ステップ１０２に戻る一方、肯定判定となった時点でステップ１０８に移行する。以上のステップ１０２からステップ１０６までの繰り返し処理によって、画像情報データベースＤＢ２には、上記第３期間分の画像情報が記憶されることになる。
【００５１】
ステップ１０８では、以上の処理によって画像情報データベースＤＢ２に対して直近の上記第３期間の間に記憶した画像情報を画像情報データベースＤＢ２から読み出し、当該画像情報に基づいて、延利用時間Ｎを以下のように導出する。
【００５２】
まず、読み出した画像情報により示される動画像の各画像の各々毎に、当該画像から人に対応する画像領域を抽出し、抽出した人の数を計数する。なお、この際の人に対応する画像領域の抽出は、従来既知の人認識技術を適用して行うことができる。そして、本実施の形態では、１分間の撮影によって得られた画像情報を対象としているため、上記利用時間を乗じることなく、以上によって計数した各画像の人の数の平均値を延利用時間Ｎとして算出する。
【００５３】
次のステップ１１０では、環境要素測定装置３０から上記各環境要素の測定結果を示す情報を受信することにより取得し、次のステップ１１２にて、以下に示すように標準新有効温度ＳＥＴ＊を導出する。
【００５４】
まず、この時点における男性の着衣量Ｃｍ（ｃｌｏ）及び女性の着衣量Ｃｗ（ｃｌｏ）の推定値を次の（１）式および（２）式により算出する。ここで、（１）式および（２）式におけるＴａは上記ステップ１１０の処理によって取得した温度を表し、Ａｇｅは対象者の年齢を表す。
【００５５】
【数１】
2014098581.tif 000003
【００５６】
【数２】
2014098581.tif 000004
本実施の形態では、年齢Ａｇｅとして屋内１２に存在する人の平均年齢（一例として、３５歳）を適用しているが、これに限るものではない。なお、上記（１）式および（２）式については、“大井、石井、斎藤、城野、「屋外における着衣に関するアンケート調査  その３：着衣量推定式の構築」、日本建築学会学術講演梗概集（東北）、２０００年９月”等に記載されているため、ここでの詳細な説明は省略する。
【００５７】
また、この時点における男性の代謝量Ｔｍ（Ｗ／ｍ２）及び女性の代謝量Ｔｗ（Ｗ／ｍ２）の推定値を次の（３）式および（４）式により算出する。
【００５８】
【数３】
2014098581.tif 000005
【００５９】
【数４】
2014098581.tif 000006
なお、上記（３）式および（４）式については、“木内、「屋外空間における温冷感指標に関する研究」、日本気象学会、２００１年９月”等に記載されているため、ここでの詳細な説明は省略する。
【００６０】
さらに、上記ステップ１１０の処理によって得られた環境要素に基づいて平均放射温度を導出する。
【００６１】
そして、以上により得られた着衣量Ｃｍ、Ｃｗ、代謝量Ｔｍ、Ｔｗ、および平均放射温度と、上記環境要素とに基づき、次の（５）式を用いて、標準新有効温度ＳＥＴ＊（℃）を算出する。ここで、（５）式におけるＣは皮膚からの対流熱伝達（Ｗ／ｍ２・ｓｅｃ・Ｋ）を、Ｒは皮膚からの伝導熱損失（Ｗ／ｍ２・ｓｅｃ）を、Ｅｓｋは皮膚からの蒸発熱損失（Ｗ／ｍ２・ｓｅｃ）を、各々表す。また、（５）式におけるＦｃｌｓは衣服による被覆率を、ｆｃｌｓは衣服の熱伝達抵抗（ｍ２・Ｋ／Ｗ）を、ｈｓは総括熱伝達率（Ｗ／ｍ２・Ｋ）を、ｔｓｋは平均皮膚温度（℃）を、ｗは皮膚濡れ面積率を、ＬＲはルイス数（℃／ｋＰａ）を、各々表す。さらに、（５）式におけるＦｐｃｌｓは皮膚の露出率を、ｈｃｓは対流熱伝達率（Ｗ／ｍ２Ｋ）を、Ｐｓｋ，ｓは皮膚温度に対する飽和蒸気圧（ｋＰａ）を、ＰＳＥＴ＊，ｓは標準新有効温度ＳＥＴ＊に対する飽和蒸気圧（ｋＰａ）を、各々表す。
【００６２】
【数５】
2014098581.tif 000007
なお、本実施の形態では、上記着衣量として、男性の着衣量Ｃｍおよび女性の着衣量Ｃｗを、屋内１２に存在する男性および女性の人数の割合で重み付き加算平均することにより得られた値を用いているが、これに限らない。例えば、着衣量Ｃｍおよび着衣量Ｃｗの単純な加算平均値を用いたり、着衣量Ｃｍおよび着衣量Ｃｗの何れか一方のみを用いたりする形態としてもよい。同様に、本実施の形態では、上記代謝量として、男性の代謝量Ｔｍおよび女性の代謝量Ｔｗを、屋内１２に存在する男性および女性の人数の割合で重み付き加算平均することにより得られた値を用いているが、これに限らない。例えば、代謝量Ｔｍおよび代謝量Ｔｗの単純な加算平均値を用いたり、代謝量Ｔｍおよび代謝量Ｔｗの何れか一方のみを用いたりする形態としてもよい。
【００６３】
なお、上記平均放射温度および標準新有効温度ＳＥＴ＊は従来既知のものであり、上記代謝量と同様に、上記“木内、「屋外空間における温冷感指標に関する研究」、日本気象学会、２００１年９月”等にも記載されているため、ここでの詳細な説明は省略する。
【００６４】
次のステップ１１４では、その時点の日時を示す情報と、上記ステップ１１０の処理によって取得した環境要素とを、検出記録データベースＤＢ１に検出日時および検出結果として記憶する。また、ステップ１１４では、その時点の日時を示す情報と、上記ステップ１０８およびステップ１１２の処理によって算出した標準新有効温度ＳＥＴ＊および延利用時間Ｎとを、演算結果データベースＤＢ３に演算日時および演算結果として記憶する。なお、上記日時を示す情報は、屋外利用促進装置２０に内蔵された時計機能によって得ることができる。
【００６５】
次のステップ１１６では、演算結果データベースＤＢ３に予め定められた数（本実施の形態では、１００）以上の情報が記憶されているか否かを判定し、否定判定となった場合は上記ステップ１０２に戻る一方、肯定判定となった場合にはステップ１１８に移行する。
【００６６】
ステップ１１８では、演算結果データベースＤＢ３から全ての演算結果（標準新有効温度ＳＥＴ＊および延利用時間Ｎ）を読み出し、読み出した演算結果を層別化するべく、予め定められたアルゴリズム（本実施の形態では、スタージェスの公式）により階級幅および階級数を導出する。
【００６７】
すなわち、読み出した演算結果のうち、標準新有効温度ＳＥＴ＊の最大値をＳｍａｘとし、標準新有効温度ＳＥＴ＊の最小値をＳｍｉｎとして、次の（６）式により階級幅Ｃを算出する。なお、（６）式におけるｎはサンプル数、すなわち、読み出した演算結果の数である。
【００６８】
【数６】
2014098581.tif 000008
また、次の（７）式により階級数Ｋを算出する。
【００６９】
【数７】
2014098581.tif 000009
次のステップ１２０では、この時点の屋外７０における快適度を、以下に示すように導出する。
【００７０】
まず、上記読み出した演算結果における標準新有効温度ＳＥＴ＊を、上記ステップ１１８の処理によって得られた階級幅Ｃおよび階級数Ｋで区分した場合における、各区分領域に属する延利用時間Ｎを区分領域毎に合算する。次に、各区分領域に対して、延利用時間Ｎの合算値が大きい順に高い快適度指数を割り当てる。最後に、上記ステップ１１０の処理によって得られた環境要素に基づいて得られた標準新有効温度ＳＥＴ＊が属する上記区分領域に割り当てられた快適度指数を、この時点の快適度であるものとして適用する。
【００７１】
図７には、標準新有効温度ＳＥＴ＊を階級幅Ｃおよび階級数Ｋで区分した場合の、各階級別の延利用時間Ｎの合算値およびサンプル数の一例が示されている。なお、同図では、最小値Ｓｍｉｎが１５．９０８１３であり、最大値Ｓｍａｘが３６．４２１１３１４７である場合について例示されている。また、同図では、階級幅Ｃとして２．０５１３００１４７が得られ、階級数Ｋとして９．３３５３９０３５５が得られた場合について例示されている。
【００７２】
一方、図８には、快適度指数の割り当ての様子が示されている。同図に示すように、この場合、例えば、延利用時間Ｎの合算値が最も大きい階級‘４’に対して快適度指数の最大値（ここでは、‘１０’）が割り当てられる。同様に、この場合、例えば、延利用時間Ｎの合算値が２番目に大きい階級‘５’に対して２番目に大きい快適度指数（ここでは、‘９’）が割り当てられる。
【００７３】
次のステップ１２２では、以上の処理によって得られた快適度を用いて、予め定められたフォーマットとされた快適度提示画面を構成し、当該快適度提示画面をディスプレイ２０Ｆにより表示するように制御する。また、ステップ１２２では、構成した快適度提示画面を端末装置２２の各々のディスプレイにも表示されるように各端末装置２２もネットワーク１４を介して制御する。
【００７４】
図９には、上記ステップ１２２の処理によってディスプレイ２０Ｆおよび各端末装置２２のディスプレイにより表示される快適度提示画面の一例が示されている。
【００７５】
同図に示すように、本実施の形態に係る快適度提示画面では、上記ステップ１２０の処理によって得られた快適度が、その得られた時間（同図では「推定時間」と表記。）と共に表示される。また、本実施の形態に係る快適度提示画面では、この時点の環境要素を示す情報が表示される。従って、この快適度提示画面を参照することにより、屋外７０の快適度を容易に把握することができると共に、実際の環境要素も把握することができる。
【００７６】
次のステップ１２４では、得られた快適度が予め定められた閾値未満であるか否かを判定し、肯定判定となった場合はステップ１２６に移行して、ミスト散布装置３６を作動させるように制御することによりミストの噴射を開始させた後、ステップ１３０に移行する。また、ステップ１２４において否定判定となった場合はステップ１２８に移行し、ミスト散布装置３６の作動を停止させるように制御することによりミストの噴射を停止させた後、ステップ１３０に移行する。なお、ステップ１２６の処理を実行する際にミスト散布装置３６が作動している場合や、ステップ１２８の処理を実行する際にミスト散布装置３６の作動が停止している場合もある。これらの場合には、ステップ１２６およびステップ１２８によるミスト散布装置３６に対する制御は実行しない。
【００７７】
ステップ１３０では、予め定められた終了タイミングが到来したか否かを判定し、否定判定となった場合は上記ステップ１０２に戻る一方、肯定判定となった場合にはステップ１３２に移行する。
【００７８】
なお、本実施の形態に係る屋外利用促進プログラムでは、上記ステップ１３０の処理において適用する終了タイミングとして、キーボード２０Ｅを介して本屋外利用促進プログラムの終了を指示する指示入力が行われたタイミングを適用しているが、これに限らない。例えば、屋内１２に人がいなくなる時刻として予め定められた時刻となったタイミングや、二次記憶部２０Ｄの残記憶容量が所定量以下となったタイミング等、他のタイミングを適用することもできることは言うまでもない。
【００７９】
ステップ１３２では、撮影装置３４、環境要素測定装置３０、およびミスト散布装置３６の作動を停止させるように、これらの装置を制御し、その後に本屋外利用促進プログラムを終了する。なお、上記ステップ１３２の処理を実行する際にミスト散布装置３６の作動が停止している場合もあるが、この場合には、ステップ１３２によるミスト散布装置３６に対する制御は実行しないことは言うまでもない。
【００８０】
以上詳細に説明したように、本実施の形態では、人による利用の度合い（本実施の形態では、延利用時間Ｎ）が高い環境状態ほど度合いが高くなるように屋外の快適度を導出しているので、汎用性が高く、かつ高精度で快適度を導出することができる。
【００８１】
また、本実施の形態では、環境状態情報（本実施の形態では、標準新有効温度ＳＥＴ＊）により示される環境状態を複数の階級に区分し、区分した各階級別に当該階級に属する利用状況情報（本実施の形態では、延利用時間Ｎ）により示される利用の度合いを合算し、これによって得られた合算値が大きい階級に対応する前記環境状態ほど度合いが高くなるように前記快適度を導出しているので、環境状態の検出結果の誤差や、当該検出結果の環境の急激な変化に起因するぶれ等を吸収することができる結果、より高精度で快適度を導出することができる。
【００８２】
さらに、本実施の形態では、前記快適度が予め定められた閾値以下であった場合、当該快適度を上げるための処理（本実施の形態では、ミストを噴射する処理）を実行しているので、効果的に人を屋外に誘導することができる。
【００８３】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００８４】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【００８５】
例えば、上記実施の形態では、着衣量および代謝量を演算により導出する場合について説明したが、本発明はこれに限定されるものではなく、例えば、これらを予め固定値としてＲＯＭ２０Ｃ等の記憶手段に記憶しておき、これを適用する形態が例示される。
【００８６】
この場合、屋外利用促進プログラムの実行の時期が春および秋である場合と、夏である場合と、冬である場合とで、着衣量を変更するようにしてもよい。この場合の具体例として、春および秋の着衣量として１．０ｃｌｏを適用し、夏の着衣量として０．６ｃｌｏを適用し、冬の着衣量として１．２ｃｌｏを適用する形態としてもよい。
【００８７】
また、代謝量を固定値とする場合の具体例として、屋外７０での行動を軽作業であるものと仮定して、１．１Ｍｅｔ（１．１Ｍｅｔ＝６４．０２Ｗ／ｍ２）を適用する形態としてもよい。
【００８８】
この場合、着衣量および代謝量を演算により導出する場合に比較して、ＣＰＵ２０Ａによる演算負荷を低減することができる。
【００８９】
また、上記実施の形態では、環境状態情報として、標準新有効温度ＳＥＴ＊を適用した場合について説明したが、本発明はこれに限定されるものではなく、例えば、平均放射温度ＭＲＴ、予想平均温冷感申告ＰＭＶ、予測不快者率ＰＰＤ、新有効温度ＥＴ＊、修正有効温度ＣＥＴ、作用温度ＯＴ、不快指数ＤＩ、湿球黒球温度ＷＢＧＴ等を環境状態情報として適用する形態としてもよい。
【００９０】
また、環境状態情報として、温度、湿度、風速、グローブ温度、日射量、照度、紫外線量、表面温度、および音量の何れか１つか、または複数の組み合わせを適用する形態としてもよい。これらの場合も、上記実施の形態と同様の効果を奏することができる。
【００９１】
また、上記実施の形態では、利用状況情報として、延利用時間Ｎを適用した場合について説明したが、本発明はこれに限定されるものではなく、例えば、予め定められた期間内における人による利用期間や利用人数を利用状況情報として適用する形態としてもよい。この場合も、上記実施の形態と同様の効果を奏することができる。
【００９２】
また、上記実施の形態では、環境状態情報を層別化する手法としてスタージェスの公式を利用する場合について説明したが、本発明はこれに限定されるものではなく、例えば、階級数を予め固定値で設定しておき、当該階級数を用いて各階級の階級幅を均等、または不均等に決定する形態としてもよい。この場合も、上記実施の形態と同様の効果を奏することができる。
【００９３】
また、上記実施の形態では、延利用時間Ｎの算定に用いる人の数の特定を、撮影装置３４による撮影画像を用いて行う場合の形態例について説明したが、本発明はこれに限定されるものではなく、例えば、当該人の数の特定を、簡易なセンサを用いて行う形態としてもよい。
【００９４】
図１０には、この場合の屋外利用促進システム１０’の構成例が示されている。なお、同図における図１と同一の構成要素には図１と同一の符号を付する。
【００９５】
同図に示すように、屋外利用促進システム１０’は、撮影装置３４に代えて、屋内１２と屋外７０との境界部に設けられた通路３８と、通路３８における人の通過方向を検出するフォト・インタラプラ等により構成された検出装置４０と、が新たに設けられている。ここで、検出装置４０は屋外利用促進装置２０のインタフェース２０Ｇに接続されている。従って、屋外利用促進装置２０は、検出装置４０による人の通過方向の検出状態を把握することができる。
【００９６】
この場合、屋外利用促進装置２０は、屋外利用促進プログラムのステップ１０２〜ステップ１０８の処理に代えて、検出装置４０によって検出された通路３８における人の通過方向に基づいて、屋外７０における人の所定時間当たりの数を延利用時間Ｎとして導出する。なお、この場合、通路３８を除く屋外７０への侵入経路を壁、フェンス等により規制する必要がある。
【００９７】
この場合も上記実施の形態と同様の効果を奏することができる。
【００９８】
また、上記実施の形態では、快適度を上げるための処理として、ミスト散布装置３６によりミストを噴射させる処理を適用した場合について説明したが、本発明はこれに限定されるものではなく、例えば、屋外利用促進装置２０や端末装置２２のディスプレイにより、一例として図１１に示すように、日除けスクリーン７４のスクリーン７４Ａを収納部７４Ｂから引き出して、所定の日除け状態とさせる指示情報を表示する処理を、快適度を上げるための処理として適用する形態としてもよい。この場合、ミスト散布装置３６等の通電によって快適度を上昇させる場合に比較して、消費エネルギーを削減することができる。
【００９９】
その他、本発明は、以上のミスト散布装置や日除けスクリーンのみならず、温風器、ストーブ、冷風器、扇風機等といった屋外の快適度を向上させるために適用可能な他の設備を適用してもよいことは言うまでもない。
【０１００】
また、上記実施の形態では、導出した快適度をディスプレイに表示することによって可視表示した場合について説明したが、これに代えて、画像形成装置等による永久可視表示や、音声発生装置等による可聴表示を行ってもよい。
【０１０１】
また、上記実施の形態では、環境要素測定装置３０と屋外利用促進装置２０との間で無線通信により各種情報の授受を行う場合について説明したが、本発明はこれに限定されるものではなく、有線通信によって各種情報の授受を行う形態としてもよい。
【０１０２】
その他、上記実施の形態で説明した屋外利用促進システム１０の構成（図１〜図３参照。）は一例であり、本発明の主旨を逸脱しない範囲内において、不要な構成要素を削除したり、新たな構成要素を追加したりすることができることは言うまでもない。
【０１０３】
また、上記実施の形態で示した屋外利用促進プログラムの処理の流れ（図６参照。）も一例であり、本発明の主旨を逸脱しない範囲内において、不要な処理ステップを削除したり、新たな処理ステップを追加したり、処理ステップの順序を入れ替えたりすることができることは言うまでもない。
【０１０４】
また、上記実施の形態で示した快適度提示画面の構成（図９、図１１参照。）も一例であり、本発明の主旨を逸脱しない範囲内において、一部の情報を削除したり、新たな情報を追加したり、表示位置を変えたりすることができることは言うまでもない。例えば、上記実施の形態では、快適度提示画面に快適度そのものを表示しているが、当該快適度に代えて、快適度を間接的に示す図、記号、マーク等を表示してもよい。
【０１０５】
また、上記実施の形態で示した各種演算式（（１）式〜（７）式参照。）も一例であり、本発明の主旨を逸脱しない範囲内において変更することができることは言うまでもない。
【０１０６】
さらに、上記実施の形態で示した各種データベースの構成（図４、図５参照。）も一例であり、本発明の主旨を逸脱しない範囲内において、一部の情報を削除したり、新たな情報を追加したり、記憶位置を入れ替えたりすることができることは言うまでもない。
【符号の説明】
【０１０７】
１０、１０’    屋外利用促進システム
１２    屋内
１４    ネットワーク
２０    屋外利用促進装置
２０Ａ    ＣＰＵ（検出手段、導出手段、処理実行手段）
２０Ｄ    二次記憶部（記憶手段）
２０Ｆ    ディスプレイ（表示手段）
２２    端末装置
３０    環境要素測定装置
３４    撮影装置
３６    ミスト散布装置
４０    検出装置
７０    屋外
７４    日除けスクリーン
ＤＢ１    検出記録データベース
ＤＢ２    画像情報データベース
ＤＢ３    演算結果データベース
【図１】
2014098581.tif 000010
【図２】
2014098581.tif 000011
【図３】
2014098581.tif 000012
【図４】
2014098581.tif 000013
【図５】
2014098581.tif 000014
【図６】
2014098581.tif 000015
【図７】
2014098581.tif 000016
【図８】
2014098581.tif 000017
【図９】
2014098581.tif 000018
【図１０】
2014098581.tif 000019
【図１１】
2014098581.tif 000020